(57)【要約】【課題】空間多重化ＭＩＭＯシステム用の伝送方式において、単一ＨＡＲＱプロセス又は複数ＨＡＲＱプロセスにより受信機におけるＳＩＣの使用を可能にする。【解決手段】空間多重化ＭＩＭＯシステム用の伝送方式は、単一ＨＡＲＱプロセス又は複数ＨＡＲＱプロセスにより受信機におけるＳＩＣの使用を可能にする。単一ＨＡＲＱインスタンスについて情報ビット及び誤り検出ビットを有するトランスポート・ブロック（ＴＰＢ）を生成するために、誤り検出ビットが情報ブロックに追加される。次に、トランスポート・ブロックは、本明細書でサブブロックと呼ばれる２つ又はそれ以上の部分に分割される。各サブブロックは異なる変調及び符号化方法（ＭＣＳ）によりエンコードされる。受信局に送信するために２つ又はそれ以上のコードワードを形成するために、サブブロックが結合される。【選択図】図２
2012503397.tif 000002
【特許請求の範囲】
【請求項１】
単一ＨＡＲＱインスタンスについて、情報ビット及び誤り検出ビットを有するトランスポート・ブロックを生成するために、所定の再送信プロトコルにより情報ブロックをエンコードすることと、
受信局に送信するために１つ又は複数のコードワードを生成するために、異なる変調及び符号化方法を使用して前記トランスポート・ブロックの異なる部分をチャネル・コーディングすること
を含む、データ送信の方法。
【請求項２】
前記コードワードを１つ又は複数の層にマッピングすることと、２つ又はそれ以上のアンテナを使用して送信のために前記コードワードを空間的に多重化するために前記層を事前コード化することをさらに含む、請求項１記載の方法。
【請求項３】
情報ビット及び誤り検出ビットを有するトランスポート・ブロックを生成するために、所定の再送信プロトコルにより情報ブロックをエンコードすることが、ハイブリッド自動反復要求（ＨＡＲＱ）プロトコルにより情報ブロックをエンコードすることを含む、請求項１記載の方法。
【請求項４】
受信局に送信するために１つ又は複数のコードワードを生成するために、異なる変調及び符号化方法を使用して前記トランスポート・ブロックの異なる部分をチャネル・コーディングすることが、
前記トランスポート・ブロックを２つ又はそれ以上の部分に分割することと、
部分コードワードを生成するために、前記トランスポート・ブロックの各部分を独立してコード化し変調することと、
１つ又は複数のコードワードを生成するために、前記部分コードワードを多重化すること
を含む、請求項１記載の方法。
【請求項５】
部分コードワードを生成するために、前記トランスポート・ブロックの各部分を独立してコード化し変調することが、
前記トランスポート・ブロックの各部分について変調及び符号化方法を決定することと、
前記対応する変調及び符号化方法により前記トランスポート・ブロックの各部分をコード化し変調すること
を含む、請求項４記載の方法。
【請求項６】
前記トランスポート・ブロックを２つ又はそれ以上の部分に分割することが、各部分について前記対応する変調及びコード化に整合させるために選択された異なるサイズの２つ又はそれ以上の部分に前記トランスポート・ブロックを分割することを含む、請求項５記載の方法。
【請求項７】
前記トランスポート・ブロックの各部分について前記選択された変調及びコード化を示す制御情報を前記受信局に送信することをさらに含む、請求項６記載の方法。
【請求項８】
前記トランスポート・ブロックの各部分について前記選択された変調及びコード化を示す制御情報を前記受信局に送信することが、前記トランスポート・ブロックの第１の部分に関するベース変調及び符号化方法と前記トランスポート・ブロックのそれぞれの後続部分に関する増分調整を識別する制御情報を送信することを含む、請求項７記載の方法。
【請求項９】
１つ又は複数のコードワードを生成するために、前記部分コードワードを多重化することが、前記部分コードワードを連続的に連結して単一コードワードを形成することを含む、請求項４記載の方法。
【請求項１０】
１つ又は複数のコードワードを生成するために、前記部分コードワードを多重化することが、部分コードワードを２つ又はそれ以上のコードワードに結合することを含む、請求項４記載の方法。
【請求項１１】
情報ビット及び誤り検出ビットを有するトランスポート・ブロックを生成するために、所定の再送信プロトコルにより情報ブロックをエンコードするための誤り検出エンコーダと、
受信局に送信するために１つ又は複数のコードワードを生成するために、異なる変調及び符号化方法を使用して前記トランスポート・ブロックの異なる部分をチャネル・コーディングするためのチャネル・エンコーダと
を含む、送信機。
【請求項１２】
コードワード・シンボルを１つ又は複数の層にマッピングするための層マッパと、２つ又はそれ以上のアンテナを使用して送信のために前記コードワードを空間的に多重化するために前記層を事前コード化するためのプレコーダとをさらに含む、請求項１１記載の送信機。
【請求項１３】
前記誤り検出エンコーダが、ハイブリッド自動反復要求（ＨＡＲＱ）プロトコルにより情報ブロックをエンコードするように構成される、請求項１１記載の送信機。
【請求項１４】
前記チャネル・エンコーダが、
前記トランスポート・ブロックを２つ又はそれ以上の部分に分割し、
部分コードワードを生成するために、前記トランスポート・ブロックの各部分を独立してコード化し変調し、
１つ又は複数のコードワードを生成するために、前記部分コードワードを多重化する
ように構成される、請求項１１記載の送信機。
【請求項１５】
前記トランスポート・ブロックの各部分について変調及び符号化方法を決定するための送信コントローラをさらに含み、前記チャネル・エンコーダが前記送信コントローラに応答して、前記対応する変調及び符号化方法により前記トランスポート・ブロックの各部分をコード化し変調する、請求項１４記載の送信機。
【請求項１６】
前記送信コントローラが、各部分について前記対応する変調及びコード化に整合させるために前記トランスポート・ブロックの各部分のサイズを選択するように構成される、請求項１５記載の送信機。
【請求項１７】
前記送信コントローラが、前記トランスポート・ブロックの各部分について前記選択された変調及びコード化を示す制御情報を前記受信局に送信するようにさらに構成される、請求項１６記載の送信機。
【請求項１８】
前記送信コントローラが、前記トランスポート・ブロックの第１の部分に関するベース変調及び符号化方法と前記トランスポート・ブロックのそれぞれの後続部分に関する増分調整を識別する制御情報を送信するようにさらに構成される、請求項１７記載の送信機。
【請求項１９】
前記チャネル・エンコーダが、前記部分コードワードを連続的に連結して単一コードワードを形成するように構成される、請求項１４記載の送信機。
【請求項２０】
前記チャネル・エンコーダが、部分コードワードを２つ又はそれ以上のコードワードに多重化するように構成される、請求項１４記載の送信機。
【請求項２１】
単一ＨＡＲＱインスタンスについてトランスポート・ブロックの２つ又はそれ以上のサブブロックを受信することであって、前記トランスポート・ブロックが情報ビット及び誤り検出ビットを有することと、
異なる変調及び符号化方法を使用して前記トランスポート・ブロックの異なるサブブロックを独立してチャネル・デコーディングすることと、
前記サブブロックから前記トランスポート・ブロックを組み立て直すことと、
前記誤り検出ビットに基づいて前記組み立て直したトランスポート・ブロック内の誤りを検出すること
を含む、データ受信の方法。
【請求項２２】
単一ＨＡＲＱインスタンスについてトランスポート・ブロックの２つ又はそれ以上のサブブロックを受信することが、前記トランスポート・ブロックに対応する１つ又は複数の空間多重化したコードワードを受信することを含む、請求項２１記載の方法。
【請求項２３】
異なる変調及び符号化方法を使用して前記トランスポート・ブロックの異なるサブブロックを独立してチャネル・デコーディングすることが、
前記トランスポート・ブロックの各サブブロックについて変調及び符号化方法を決定することと、
前記対応する変調及び符号化方法により各サブブロックを復調しデコードすること
を含む、請求項２１記載の方法。
【請求項２４】
前記トランスポート・ブロックの各サブブロックについて前記選択された変調及びコード化を示す制御情報を送信局から受信することをさらに含む、請求項２３記載の方法。
【請求項２５】
単一ＨＡＲＱインスタンスについてトランスポート・ブロックの２つ又はそれ以上のサブブロックを受信するための受信機であって、前記トランスポート・ブロックが情報ビット及び誤り検出ビットを有する受信機と、
異なる変調及び符号化方法を使用してトランスポート・ブロックの異なる受信サブブロックをデコードし復調するためのチャネル・デコーダと、
前記デコードしたサブブロックから前記トランスポート・ブロックを組み立て直すための結合器と、
デコード後に前記トランスポート・ブロック内の残留誤りを検出するための誤り検出器と
を含む、受信機。
【請求項２６】
前記受信機が空間多重化受信機を含む、請求項２５記載の受信機。
【請求項２７】
前記チャネル・デコーダが、
前記トランスポート・ブロックの各サブブロックについて変調及び符号化方法を決定し、
前記対応する変調及び符号化方法により各サブブロックを復調しデコードする
ように構成される、請求項２５記載の受信機。
【請求項２８】
前記受信機が、前記トランスポート・ブロックの各サブブロックについて前記選択された変調及びコード化を示す制御情報を送信局からさらに受信する、請求項２７記載の受信機。
【発明の詳細な説明】
【技術分野】
【０００１】
関連出願
本出願は、２００８年９月１８日に出願された米国特許仮出願第６１／０９８０８６号の便益を請求するものであり、同出願は参照により本明細書に組み込まれる。
【０００２】
本発明は、一般に、複数の送信アンテナを使用して信号を送信するための方法及び装置に関し、詳細には、複数アンテナ送信機から送信された多重化伝送を空間的に事前コード化するための方法及び装置に関する。
【背景技術】
【０００３】
パケット・ベースの通信のための最新の無線通信システムは、無線チャネルの損傷に対してより高い信頼性及びロバストネスを達成するために、物理層上でハイブリッド自動反復要求（ＨＡＲＱ：hybrid automatic repeat request）などの再送信プロトコルを使用する場合が多い。ロング・ターム・エボリューション（ＬＴＥ：Long Term Evolution）及び広帯域符号分割多元接続（ＷＣＤＭＡ：Wideband Code Division Multiple Access）は、ＨＡＲＱを使用する通信システムの２つの例である。ＨＡＲＱは、順方向誤り訂正（ＦＥＣ：forward error correction）エンコーダ内のトランスポート・ブロック（ＴＰＢ：transport block）としても知られているデータ・ブロックを含む情報をエンコードし、次にＦＥＣエンコーダから出力されたコード化ビットに巡回冗長検査（ＣＲＣ：cyclic redundancy check）ビット又はその他の誤り検出ビットを追加することにより、ＦＥＣとＡＲＱを結合するものである。このコード化データ・ブロックは、ＬＴＥ及びＷＣＤＭＡシステムではコードワードと呼ばれる。受信後に、このデータ・ブロックはデコードされ、ＣＲＣビットを使用して、デコードが成功したかどうかをチェックする。データ・ブロックが誤りなしで受信された場合、そのデータ・ブロックの正常送信を示す肯定応答（ＡＣＫ：acknowledgement）が送信機に送信され、新しいデータ・ブロックが送信される。これに反して、データ・ブロックが正しくデコードされなかった場合、再送信を要求するために否定ＡＣＫ（ＮＡＣＫ：negative ACK）が受信機によって送信される。実装例に応じて、送信機は、同じデータ・ブロックを再送信する場合もあれば、異なるデータ（増分冗長）を送信する場合もある。受信機は、この再送信を独立してデコードするか、又は前の送信で受信されたデータとこの再送信を結合することができる。
【０００４】
また、複数アンテナ・システムは、データ伝送速度を高めるための１つの方法として、パケット・データ通信システムについてかなり注目されている。複数入力複数出力（ＭＩＭＯ：multiple input, multiple output）システムは、送信機及び受信機において複数アンテナを使用して、情報を送受信する。受信機は、帯域幅を増加せずにより高いスペクトル効率及びより高いデータ速度を達成するために、受信機における信号の空間寸法を活用することができる。
【０００５】
ＭＩＭＯシステムのためにしばしば使用される伝送方式の１つは空間多重化である。空間多重化送信機では、ＨＡＲＱプロセスから出力されるコードワード内の情報シンボルは１つ又は複数の空間層にマッピングされる。複数のＨＡＲＱプロセスからの複数のコードワードは同時に送信することができる。マルチコードワード伝送を使用する場合、異なる層上で独立してＨＡＲＱを実行することができる。ＬＴＥ規格では、いくつかの固定したコードワードと層のマッピングについて規定している。
【０００６】
いくつかの空間多重化方式は、すべての層について受信品質（すなわち、信号対干渉雑音比（ＳＩＮＲ：Signal to Interference and Noise Ratio））を平均化する手段としてロング・ディレイ・サイクリック・ディレイ・デコーディング（ＬＤＣＤＤ：Long Delay Cyclic Delay Decoding）をサポートする。ＬＤＣＤＤは、信頼できる方法で、例えば、非定常干渉又は中程度から高度のモビリティの存在下で、各層のチャネル品質情報（ＣＱＩ：Channel Quality Information）を推定できないという状況で特に有用である。すべての層の品質を平均化することにより、受信したコードワードの品質における下降の確率が低減され、リンクのロバストネスが増加する。また、すべての層の品質を平均化することは、各層のチャネル品質が残りの層すべてのチャネル品質とほぼ同様のものになることを意味する。
【０００７】
各ＨＡＲＱプロセスからのコードワードが異なる層又は異なる層グループに個別にマッピングされると想定すると、マルチコードワード伝送のための魅力的なデコーダは連続干渉相殺（ＳＩＣ：Successive Interference Cancellation）デコーダである。ＳＩＣは、それぞれの反復中に１つのコードワードを推定する反復デコーディング技法である。ＳＩＣの重要な考え方は、すでにデコードされた層の貢献分を受信信号から再帰的に除去することである。前のコードワードが正しくデコードされているという現実的な想定の下で、デコーダのその後の反復ごとに層間干渉が低減される。このようにすることにより、前にデコードした層の干渉が除去された後、各コードワードに関連するチャネル品質又は有効ＳＩＮＲが増加する。
【０００８】
送信機でＬＤＣＤＤが使用されると想定した場合、受信したコードワードはいずれも、ほぼ同じ有効ＳＩＮＲを経験し、そのＳＩＮＲは、ＳＩＣデコーダの最初の反復前にＬＤＣＤＤによって導入される層混合の効果により、ＳＩＮＲ0と示される。ＳＩＣデコーダの最初の反復中に、第１のコードワードがデコードされ、その貢献分が受信信号から減算される。従って、残りのコードワードはいずれも第１の層からの層間干渉の除去によりＳＩＮＲ1＞ＳＩＮＲ0を経験する。このプロセスはすべてのコードワードについて繰り返され、その結果、前にデコードされた各層から干渉が除去された後で各コードワードに関するＳＩＮＲが増加する。各層又はコードワードに関する有効ＳＩＮＲは、ＳＩＮＲ0＜ＳＩＮＲ1＜．．．＜ＳＩＮＲrと示すことができ、ここでｒは層の数である。
【０００９】
ｉ番目の層上で確実に送信することができる情報の最高速度Ｒは、対応するコードワードに関する有効ＳＩＮＲの一次関数であり、すなわち、Ｒi＝ｆ（ＳＩＮＲi）である。従って、ＳＩＣ及びＬＤＣＤＤを使用する効率的なシステムは各コードワードに関連する伝送速度をＲ0＜Ｒ1＜．．．＜Ｒrとして割り当てなければならないことは明らかである。
【発明の概要】
【発明が解決しようとする課題】
【００１０】
技術文献における現在の想定は、各層に同じ変調及び符号化方法（ＭＣＳ：modulation and coding scheme）が使用されるので、単一コードワード伝送はＳＩＣには適していないということである。従って、技術文献における従来の知識は、ＳＩＣを実装することが望ましいときに、コードワードごとに個別のＨＡＲＱプロセスによるマルチコードワード伝送を使用しなければならないことを要求している。個別ＨＡＲＱプロセスの実装は、単一ランク伝送のみをサポートする基地局への相当なアップグレードを必要とする可能性がある。さらに、コードワードごとに個別のＨＡＲＱプロセスを使用すると、マルチコードワード伝送のためのＭＡＣリソース及び信号通知オーバヘッドが増加する。各コードワードのデータ伝送速度が正しく割り当てられた場合、両方のコードワードは同じ高い確率で正しくデコードされ、その結果として、両方のコードワードについてＡＣＫメッセージが送信されることになる。これに反して、最初の反復における受信ＳＩＮＲが過大評価された場合、両方のコードワードは間違ってデコードされる可能性があり、両方のＨＡＲＱプロセスによってＮＡＣＫが報告されることになる。従って、個別のＨＡＲＱプロセスを実装するためにＭＡＣリソース及び信号通知オーバヘッドが増加することは、このような場合には、システム性能を改善するとは思われない。
【課題を解決するための手段】
【００１１】
本発明は、単一ＨＡＲＱプロセス又は複数ＨＡＲＱプロセスにより受信機におけるＳＩＣの使用を可能にする空間多重化ＭＩＭＯシステム用の伝送方式に関する。単一ＨＡＲＱインスタンスについて情報ビット及び誤り検出ビットを有するトランスポート・ブロック（ＴＰＢ）を生成するために、誤り検出ビットが情報ブロックに追加される。次に、トランスポート・ブロックは、本明細書でサブブロックと呼ばれる２つ又はそれ以上の部分に分割される。各サブブロックは異なる変調及び符号化方法（ＭＣＳ）によりエンコードされる。受信局に送信するために２つ又はそれ以上のコードワードを形成するために、サブブロックが結合される。いくつかの実施形態では、コードワードは空間多重化送信機によって送信される。空間多重化が使用されると、各コードワードは１つ又は複数の伝送層にマッピングされ、複数のアンテナから送信される。
【図面の簡単な説明】
【００１２】
【図１】模範的な複数入力複数出力通信システムを示す図である。
【図２】ＭＩＭＯ通信システム用の模範的な送信信号プロセッサを示す図である。
【図３】２つ又はそれ以上のアンテナから送信するためにコードワードを層にマッピングし、その層を事前コード化するための模範的な空間マルチプレクサを示す図である。
【図４】ＭＩＭＯ通信システム用の模範的な受信信号プロセッサを示す図である。
【図５】ＭＩＭＯ通信システムでデータを送信するための模範的な方法を示す図である。
【図６】ＭＩＭＯ通信システムでデータを受信するための模範的な方法を示す図である。
【発明を実施するための形態】
【００１３】
図１は、第１の局１２と第２の局１４とを含む複数入力／複数出力（ＭＩＭＯ）無線通信システム１０を示している。第１の局１２は、通信チャネル１６により第２の局１４に信号を送信するための複数の送信アンテナ１１０を備えた送信機１００を含み、第２の局１４は、第１の局１２によって送信された信号を受信するための複数の受信アンテナ２１０を備えた受信機２００を含む。当業者であれば、第１の局１２と第２の局１４がそれぞれ双方向通信のために送信機１００と受信機２００の両方を含むことができることを認識するであろう。模範的な一実施形態では、第１の局１２は無線通信ネットワーク内の基地局を含み、第２の局１４はユーザ端末を含む。本発明は、例えば、直交周波数分割多重（ＯＦＤＭ：Orthogonal Frequency Division Multiplexing）システムで使用することができる。しかし、当業者であれば、本発明は他の多重アクセス方式を使用するシステムでも有用であることを認識するであろう。
【００１４】
バイナリ・データ・ストリームの形の情報信号は第１の局１２の送信機１００に入力される。送信機１００は、送信機１００の全体的な動作を制御するためのコントローラ１２０と、送信信号プロセッサ１３０とを含む。送信信号プロセッサ１３０は、誤りコード化を実行し、入力ビットを複合変調シンボルにマッピングし、各送信アンテナ１１０用の送信信号を生成する。上向き周波数変換、フィルタリング、及び増幅後、送信機１００は、それぞれの送信アンテナ１１０から通信チャネル１６を介して第２の局１４に送信信号を送信する。
【００１５】
第２の局１４の受信機２００は、各アンテナ２１０で受信した信号を復調しデコードする。受信機２００は、受信機２００の動作を制御するためのコントローラ２２０と、受信信号プロセッサ２３０とを含む。受信信号プロセッサ２３０は、第１の局１２から送信された信号を復調しデコードする。受信機２００からの出力信号は元の情報信号の推定値を含む。誤りがない場合、その推定値は送信機１２に入力された元の情報信号と同じになる。
【００１６】
図２は、本発明の一実施形態による模範的な送信信号プロセッサ１３０を示している。送信信号プロセッサ１３０は、各トランスポート・ブロック用のＨＡＲＱプロセスをインスタンス化するためのＨＡＲＱコントローラ１３２と、送信すべき情報ブロックをチャネル・コーディングし、送信用の変調シンボルを生成するためのチャネル・コーディング回路１３４と、送信シンボルを生成するために変調シンボルを空間的に多重化するための空間マルチプレクサ１５０と、空間マルチプレクサによって出力された送信シンボルを送信アンテナ１１０にマッピングするためのリソース・マッピング回路とを含む。
【００１７】
ＨＡＲＱコントローラ１３２は、ＨＡＲＱプロセスを実装し、情報ブロック（ＩＢ）を送信信号プロセッサ１３０に提供する。ＣＲＣエンコーダ１３６又はその他の誤り検出エンコーダは、ＨＡＲＱコントローラ１３２によって提供された情報ブロックをエンコードして、トランスポート・ブロック（ＴＰＢ）を生成する。ＨＡＲＱプロセスは、各ＴＰＢに関する媒体アクセス制御（ＭＡＣ：medium access control）層に実装される。スプリッタ１３８は、トランスポート・ブロックを本明細書でサブブロック（ＳＢ）と呼ばれる２つ又はそれ以上の部分に分割する。図２に示されている模範的な実施形態では、スプリッタ１３８はトランスポート・ブロックを２つのサブブロック（例えば、ＳＢ１及びＳＢ２）に分割し、それらは異なるサイズである可能性があるものと想定される。各サブブロックのサイズは、以下に記載されている通り、各サブブロックについて選択された変調及び符号化方法に基づいて送信コントローラ１２０によって決定される。
【００１８】
送信信号プロセッサ１３０は各サブブロックを独立してエンコードし変調する。詳細には、ＦＥＣエンコーダ１４０は、既知の順方向誤り訂正（ＦＥＣ）コードを使用してサブブロックをエンコードする。例えば、ＦＥＣエンコーダ１４０は、ターボ・エンコーダ、重畳エンコーダ、又はブロック・エンコーダを含むことができる。速度整合回路１４２は、サブブロックごとに選択されたデータ伝送速度にコード化ビットの数を整合させるためにＦＥＣエンコーダ１４０から出力されたコード化ビットを破壊するか又は繰り返す。インターリーバ１４４は、送信中に発生する可能性のあるバースト誤りに対するロバストネスを改善するためにコード化ビットの順序を再配列する。変調器１４６は、コード化しインターリーブしたビットを対応する変調シンボルにマッピングする。変調器１４６は、例えば、ＱＰＳＫ又はＱＡＭ変調器を含むことができる。コードワード・マルチプレクサ１４８は、各サブブロックに対応する変調シンボルを配列して、受信局１４に送信するための１つ又は複数のコードワードを形成する。
【００１９】
図３に示されている空間マルチプレクサ１５０は、層マッピング回路１５２とプレコーダ１５４とを含む。層マッピング回路１５２は、伝送ランクに応じて、各コードワード用のシンボルを１つ又は複数の層又はストリームにマッピングする。図３は、伝送ランク１〜４に関する層マッピング回路１５２の構成を示している。次に、プレコーダ１５４は、各層内のシンボルを事前コード化して、送信シンボルを生成する。模範的な一実施形態では、層マッピング回路１５２は、各サブブロックに対応するシンボルを異なる層又は層グループにマッピングする。これらの層は、アンテナ１１０に出力される前にプレコーダ・サイクリング又はロング・ディレイ・サイクリック・ディレイ・デコーディング（ＬＤＣＤＤ）の使用により、プレコーダ１５４によって混合することができる。
【００２０】
リソース・マッピング回路１５２は、空間マルチプレクサによって出力された送信シンボルを対応する送信アンテナ１１０にマッピングする。いくつかの実施形態では、リソース・マッピング回路１５２は物理アンテナ１１０と仮想アンテナの両方に送信シンボルをマッピングすることができる。例えば、チャネル依存事前コード化を使用して、所望の受信局１４の方向にエネルギを集中させる方法で仮想アンテナ上の送信シンボルを実際の物理アンテナ１１０にマッピングすることができる。
【００２１】
それぞれのＴＰＢに２つ又はそれ以上の変調及び符号化方法を使用できるので、異なる層又は層グループに異なるサブブロックをマッピングすることにより、すべての層について個別のデータ速度割り当てが可能である。それぞれのサブブロック用の変調及び符号化方法並びにサブブロックのサイズは、各層の有効ＳＩＮＲに基づいて送信コントローラ１２０によって選択される。単一ＴＰＢに関連するすべての層が同じＨＡＲＱプロセスによって制御されるので、信号通知オーバヘッドは著しく増加するわけではない。しかし、個々のＭＣＳがそれぞれのサブブロックに割り当てられるので、それぞれの層に関するＭＣＳを信号通知するためにアップリンク及び／又はダウンリンク許可に追加の制御フィールドが導入される。模範的な一実施形態では、アップリンク又はダウンリンク許可は、第１の層に関するベースＭＣＳと、追加の各層に適用すべき増分ＭＣＳ調整を信号で通知することができる。
【００２２】
受信局１４の受信信号プロセッサ２３０は、異なる空間多重化層により送信されたサブブロックを復調しデコードする。受信局の受信信号プロセッサ２３０の簡略化した機能ブロック図は図４に示されている。受信信号プロセッサ２３０は、それぞれのトランスポート・サブブロックを独立して復調しデコードするためのチャネル・デコーディング回路２３２と、ＨＡＲＱコントローラ２４４とを含む。チャネル・デコーディング回路２３２は、送信局１２のチャネル・コーディング回路１３４の信号処理タスクを補完する処理タスクを実行する。デマルチプレクサ２３４はデコードのためにサブブロックを分離する。復調器２３６はそれぞれのサブブロックを復調し、ＦＥＣデコーダ２３８は送信中に発生した可能性のある誤りを訂正する。結合器２４０はサブブロックからトランスポート・ブロックを組み立て直し、誤り検出器２４２は、ＦＥＣデコーダ２３８によるデコード後に誤り検出ビット（例えば、ＣＲＣビット）を使用してトランスポート・ブロック内に残留誤りがあるかどうかをチェックする。ＨＡＲＱコントローラ２４２は、ＨＡＲＱ処理を処理し、デコード後にトランスポート・ブロックが誤りを含んでいる場合に送信局１２にＮＡＣＫを送信する。
【００２３】
図５は、送信局１２の送信機１００によって実装される模範的な送信手順１７０を示している。この手順は、情報ビット及び誤り検出ビットを有するトランスポート・ブロックを生成するために所定の再送信プロトコル（例えば、ＨＡＲＱ）による情報ブロックのエンコードから始まる（ブロック１７２）。次に、トランスポート・ブロックは２つ又はそれ以上の部分に分割され、１つ又は複数のコードワードを生成するためにトランスポート・ブロックの異なる部分は異なる変調及び符号化方法を使用してチャネル・コーディングされる（ブロック１７４）。模範的な一実施形態では、送信シンボルを生成するために、エンコードされたサブブロックが異なる層にマッピングされ、空間マルチプレクサによってエンコードされる（ブロック１７６）。次に、各サブブロックに対応する送信シンボルは２つ又はそれ以上のアンテナ１１０から送信することができる（ブロック１７８）。
【００２４】
図６は、複数パート・トランスポート・ブロックを受信するための模範的な手順１８０を示している。受信局１４は、単一ＨＡＲＱインスタンスについて独立してコード化され変調されたトランスポート・ブロックの２つ又はそれ以上のサブブロックを受信する（ブロック１８２）。受信局１４は、トランスポート・サブブロックを独立して復調しデコードし（ブロック１８４）、サブブロックをトランスポート・ブロックに組み立て直し、次に再構築されたトランスポート・ブロックについてＣＲＣチェックを実行する（ブロック１８６）。残留誤りが検出された場合、受信局は送信局１２にＮＡＣＫを送信する（ブロック１８８）。トランスポート・ブロックが正しく受信された場合、受信局１４は、代わって又は加えて、ＡＣＫを送信できるであろう。
【００２５】
これまで空間多重化ＭＩＭＯシステム及び層混合に関連して本発明について説明してきたが、同じ概念は他の設定でも有用である。一般原則として、本発明は、異なるコードワードが相互干渉を発生し、異なるコードワードの品質が送信リンクの何らかの特性によって平均化される状況で使用することができる。一例として、本発明は、一連のコードワードが時間分散チャネルにより送信されるＳＩＭＯシステムで使用することができる。このチャネルの時間分散特性はコードワード間で相互干渉を発生し、それをＳＩＣ受信機によって効率的に除去することができる。この場合、効率的なＭＣＳ選択及び信号通知は本発明の使用によって可能になる。
【００２６】
本発明は、当然のことながら、本発明の範囲及び本質的な特徴から逸脱せずに、本明細書に明記されているもの以外の特定の方法で実行することができる。従って、これらの実施形態は、すべての点で、制限的ではなく例示的なものと見なすべきであり、特許請求の範囲の意味及び同等範囲内のすべての変更はそこに包含されるものである。
【図１】
2012503397.tif 000003
【図２】
2012503397.tif 000004
【図３】
2012503397.tif 000005
【図４】
2012503397.tif 000006
【図５】
2012503397.tif 000007
【図６】
2012503397.tif 000008
【国際調査報告】
2012503397.tif 000009
2012503397.tif 000010
2012503397.tif 000011